(57)【要約】【課題】表示品位が良好な、シースルー構造でセグメント表示型の有機ＥＬパネルを提供する。【解決手段】有機ＥＬパネルは、透光性を有する基板１０と、第１電極２０及び第２電極４０と、少なくとも発光層を含む有機層３０と、を備える。第１電極２０は、透光性を有し、セグメントＳに相当する形状で形成され、第２電極４０は、透光性を有さず、基板法線方向から見て第１の方向に延びる複数の帯状電極４１からなり、複数の帯状電極４１は、第１の方向と交差する第２の方向に所定のピッチＰで配列されている。セグメントＳの第２の方向の幅Ｄは、ピッチＰの略ｎ倍（ｎは２以上の自然数）であり、基板法線方向から見て、複数の帯状電極４１のうち隣り合うもの同士の間が透光領域となっている。【選択図】図２
2016100126.tif 000002
【特許請求の範囲】
【請求項１】
セグメントを点灯表示する有機ＥＬパネルであって、
透光性を有する基板と、
前記基板上に設けられた第１電極及び第２電極と、
前記基板上に設けられて前記第１電極と前記第２電極との間に位置する、少なくとも発光層を含む有機層と、を備え、
前記第１電極は、透光性を有し、前記セグメントに相当する形状で形成され、
前記第２電極は、透光性を有さず、前記基板の法線方向から見て第１の方向に延びる複数の帯状電極からなり、前記複数の帯状電極は、前記第１の方向と交差する第２の方向に所定のピッチで配列され、
前記セグメントの前記第２の方向の幅は、前記ピッチの略ｎ倍（ｎは２以上の自然数）であり、
前記法線方向から見て、前記複数の帯状電極のうち隣り合うもの同士の間が透光領域となっている、
ことを特徴とする有機ＥＬパネル。
【請求項２】
前記セグメントは複数あり、前記第１の方向に延びる第１セグメントと、前記第２の方向に延びる第２セグメントと、を含み、
前記第１セグメントと前記第２セグメントとの少なくとも一方の前記第２の方向の幅が、前記ピッチの略ｎ倍（ｎは２以上の自然数）である、
ことを特徴とする請求項１に記載の有機ＥＬパネル。
【請求項３】
前記第１の方向は、表示像を正視する視認者から見ての上下方向と一致する、又は、前記上下方向に対して傾いている、
ことを特徴とする請求項１又は２に記載の有機ＥＬパネル。
【請求項４】
前記第２の方向は、表示像を正視する視認者から見ての左右方向と一致する、
ことを特徴とする請求項１乃至３のいずれか１項に記載の有機ＥＬパネル。
【請求項５】
前記第１の方向は、表示像を正視する視認者から見ての左右方向と一致する、
ことを特徴とする請求項１又は２に記載の有機ＥＬパネル。
【発明の詳細な説明】
【技術分野】
【０００１】
本発明は、有機ＥＬパネルに関し、詳しくはシースルー構造でセグメント表示型の有機ＥＬパネルに関する。
【背景技術】
【０００２】
従来の有機ＥＬ（Electro-Luminescence）パネルとして、例えば特許文献１に開示されたものがある。特許文献１の有機ＥＬパネルは、透明電極（陽極）と、有機ＥＬ層と、不透光性電極（陰極）とが積層されてなる有機ＥＬ素子を、画素を構成するように透明基板上にマトリクス状に配列させた表示部を備え、短冊状に形成された陽極と陰極とが互いに直交すると共に、陰極が画素の対向する１組の辺を横切るように配置されて構成されるものである。これにより、表示部の陰極が配置されていない部分を通して光が透過可能なシースルー構造のパネルを実現している。
【先行技術文献】
【特許文献】
【０００３】
【特許文献１】特開２０１１−２３３３６号公報
【発明の概要】
【発明が解決しようとする課題】
【０００４】
特許文献１の有機ＥＬパネルはドットマトリクス表示を前提として構成されるものであるが、用途によっては表示要素の明瞭さ等に優れるセグメント表示型が求められる現状がある。しかしながら、シースルー構造の有機ＥＬパネルの表示品位を保つ上で、セグメント表示型に特化した手法は十分に確立されていない。
【０００５】
本発明は、上記実情に鑑みてなされたものであり、表示品位が良好な、シースルー構造でセグメント表示型の有機ＥＬパネルを提供することを目的とする。
【課題を解決するための手段】
【０００６】
上記目的を達成するため、本発明に係る有機ＥＬパネルは、
セグメントを点灯表示する有機ＥＬパネルであって、
透光性を有する基板と、
前記基板上に設けられた第１電極及び第２電極と、
前記基板上に設けられて前記第１電極と前記第２電極との間に位置する、少なくとも発光層を含む有機層と、を備え、
前記第１電極は、透光性を有し、前記セグメントに相当する形状で形成され、
前記第２電極は、透光性を有さず、前記基板の法線方向から見て第１の方向に延びる複数の帯状電極からなり、前記複数の帯状電極は、前記第１の方向と交差する第２の方向に所定のピッチで配列され、
前記セグメントの前記第２の方向の幅は、前記ピッチの略ｎ倍（ｎは２以上の自然数）であり、
前記法線方向から見て、前記複数の帯状電極のうち隣り合うもの同士の間が透光領域となっている、
ことを特徴とする。
【発明の効果】
【０００７】
本発明によれば、表示品位が良好な、シースルー構造でセグメント表示型の有機ＥＬパネルを提供することができる。
【図面の簡単な説明】
【０００８】
【図１】本発明の一実施形態に係る有機ＥＬパネルの概略正面図である。
【図２】（ａ）は図１に示す有機ＥＬパネルのＡ−Ａ線概略断面図であり、（ｂ）は第１電極と第２電極との関係を図２（ａ）に対応させて表した模式図である。
【図３】（ａ）は帯状電極のピッチに依存するセグメント見栄え評価を示す表の図であり、（ｂ）は帯状電極の幅に依存する透明性評価を示す表の図である。
【図４】好適なセグメント幅を見出すための計算条件を説明するための図である。
【図５】（ａ）は図４に示す条件での第２電極のズレに対する発光面積の計算結果を示す表の図であり、（ｂ）は図５（ａ）の計算結果をグラフで示した図である。
【図６】変形例１に係る第２電極を示す模式図である。
【図７】変形例２に係る第２電極を示す模式図である。
【発明を実施するための形態】
【０００９】
本発明の一実施形態に係る有機ＥＬパネルを、図面を参照して説明する。
【００１０】
本実施形態に係る有機ＥＬ（Electro-Luminescence）パネル１００は、後述するシースルー構造で構成されるものであり、図１、図２に示すように、基板１０と、第１電極２０と、有機層３０と、第２電極４０と、封止板５０と、セグメントを点灯表示する表示部である可変表示部６０及び固定表示部７０と、表示部を駆動するＩＣ（Integrated Circuit）８０と、を備える。
セグメント（表示要素）は図形、記号、アイコン等を表し、１又は複数の組み合わせで所定の情報を表す。有機ＥＬパネル１００は、スタティック駆動型であり、可変表示部６０において点灯する六角形状のセグメントＳの組み合わせにより数値を表示する（図示例では７セグメント表示）。なお、７セグメント表示に限られず、７より少ないセグメント、又は、７より多いセグメントの組み合わせで所定の表示を行ってもよい。また、固定表示部７０では、図示しないがアイコン等を表すセグメントを点灯表示する。
【００１１】
なお、以下では構成の理解を容易にするため、図１等に示す、有機ＥＬパネル１００の表示面を正視するユーザから見ての左右方向に沿うＸ軸と、上下方向に沿うＹ軸と、Ｘ軸及びＹ軸と直交するＺ軸とを用いて適宜説明を行う。また、各軸を示す矢印が向く方向を各軸の＋（プラス）方向、その逆方向を−（マイナス）方向とする。
【００１２】
基板１０は、透光性を有し、例えば正面視で矩形状に形成されている。基板１０は、ガラス（無アルカリガラス、アルカリガラス）や樹脂により形成されている。なお、基板１０の主面の法線方向（以下、基板法線方向）は、Ｚ軸方向と一致する。基板１０の背面（−Ｚ側の面）上には、第１電極２０、有機層３０、第２電極４０が順に積層形成される。
【００１３】
第１電極２０は、透明電極（透光性の電極）であり、本実施形態では正孔を注入する陽極として機能する。第１電極２０は、図２（ｂ）に示すように、セグメントに相当する形状で形成されている。例えば、第１電極２０は、基板１０の背面上にＩＴＯ（Indium Tin Oxide）、ＡＺＯ（Aluminum Zinc Oxide）、ＩＺＯ（Indium Zinc Oxide）等の透明導電材をスパッタリング法によって成膜し（例えば膜厚５０〜５００ｎｍ）、フォトリソグラフィー法によって所望の形状にパターニングすることで形成される。なお、図示しないが、第１電極２０とＩＣ８０とを接続する陽極配線と、第２電極４０とＩＣ８０とを接続する陰極配線とは、第１電極２０と同工程で同一の材料で基板１０に形成される。
【００１４】
また、基板１０の背面上には第１電極２０の一部を覆う透明絶縁膜（図示せず）が形成されている。この絶縁膜は、例えば、ポリイミド樹脂、ノボラック樹脂、アクリル樹脂等の透明絶縁材をスピンコート法によって基板１０上に成膜し、フォトリソグラフィー法で所望の形状にパターニングすることで形成される。透明絶縁膜は、第１電極２０と第２電極４０との短絡を防止したり、第１電極２０を所定の形状にパターニングしたりするために設けられる。例えば、可変表示部６０における第１電極２０は透明電極のパターニングのみによってセグメントＳに相当する形状で形成される一方で、固定表示部７０における第１電極２０は主に透明絶縁膜のパターニングによってセグメントに相当する形状で形成される。
つまり、第１電極２０が「セグメントに相当する形状で形成される」とは、透明電極のパターニングのみで実現されるに限られず、透明絶縁膜を併用することで実現されてもよい。
【００１５】
有機層３０は、有機材料からなる有機発光層を含んで、単層又は多層で構成される。有機層３０は、例えば６０ｎｍ〜１５０ｎｍ程度の膜厚で、第１電極３０上に形成されている。多層構造の一例としては、第１電極２０側から正孔注入輸送層、第１の有機発光層、第２の有機発光層、電子輸送層、及び、電子注入層が順次積層されたものである。なお、有機層３０は、単一の有機発光層を含むものであれば前述の各層の一部を含まないものであってもよく、他の層を含むものであってもよい。有機層３０は、例えば真空蒸着法によって、蒸着マスクを介して基板１０の背面側に所望の形状で形成される。なお、有機層３０は、スピンコート等の塗布法や、インクジェット等の印刷法で形成されてもよい。
【００１６】
第２電極４０は、不透光性の電極であり、本実施形態では電子を注入する陰極として機能する。第２電極４０は、有機層３０上に形成された低抵抗の導電膜である（例えば、Ａｌ、Ａｇ、Ｍｇ、Ｃｏ、Ｌｉ、Ｚｎ等の金属単体あるいは合金から、膜厚５０〜２００ｎｍで形成されている）。第２電極４０は、例えば真空蒸着法によって、蒸着マスクを介して基板１０の背面側に形成される。第２電極４０は、図２（ｂ）に示すように、Ｙ方向に延びる複数の帯状電極４１から構成され、ストライプ状をなしている。
【００１７】
帯状電極４１は、その幅（Ｘ方向の長さ。以下、幅Ｗ）が１ｍｍ以下（Ｗ≦１ｍｍ）となるように形成されている。また、隣り合う帯状電極４１間の距離（互いの中心線間のＸ方向における間隔。以下、ピッチＰ）が等しくなるように配列されている。ピッチＰは、２ｍｍ以下（Ｐ≦２ｍｍ）に設定されている。また、セグメントＳのＸ方向の幅であるセグメント幅Ｄ（つまり、１つのセグメントＳに対応する第１電極２０のＸ方向の幅）は、ピッチＰの略ｎ倍（ｎは２以上の自然数。丁度ｎ倍も含む）となるように形成されている。幅Ｗ、ピッチＰ、及びセグメント幅Ｄをこのように設定した理由については後述する。
【００１８】
なお、図１に示すように有機ＥＬパネル１００は、セグメントＳとして、Ｙ方向に延びる第１セグメントＳ１と、Ｘ方向に延びる第２セグメントＳ２とを含む。図２（ｂ）では、第２セグメントＳ２のセグメント幅ＤがピッチＰの略自然数倍となる例を示しているが、第１セグメントＳ１のセグメント幅ＤもピッチＰの略自然数倍とすることが好ましい。ただし、第１セグメントＳ１と第２セグメントＳ２との少なくとも一方が、帯状電極４１のピッチＰの略ｎ倍であれば、後述する理由から有機ＥＬパネル１００の表示品位を良好に保つことができる。
また、図示しないが固定表示部７０におけるセグメントの幅も帯状電極４１のピッチＰの略自然数とすることが好ましい。
【００１９】
封止板５０は、透光性を有し、前述の基板１０上の各部を気密的に収容する。封止板５０は、例えばガラス材料から、成型、サンドブラスト、切削、エッチング等により凹形状で形成され、例えば接着剤を介して基板１０上に設けられる。なお、封止板５０は、平板状であってもよく、この場合はスペーサを介して基板１０上に設けられる。
【００２０】
ＩＣ８０は、例えば基板１０上の適宜の位置に設けられ、図示しないＦＰＣ（Flexible Printed Circuit board）を介して外部回路と接続され、外部回路から取得した情報に応じて可変表示部６０と固定表示部７０との各々を駆動する。ＩＣ８０は、前述の通り、陽極配線（図示せず）を介して第１電極２０に、陰極配線（図示せず）を介して第２電極４０に接続されており、スタティック駆動方式により両電極に駆動電流を供給する。これにより、有機層３０に駆動電圧が印加された領域の有機発光層が発光し、セグメントが点灯する。なお、本実施形態の有機ＥＬパネル１００は、基板１０側から有機発光層で発せられた光を出射するボトムエミッション型のものである。
【００２１】
なお、図示しないが、有機ＥＬパネル１００の発光面（基板１０側の面）には、ＵＶ（Ultraviolet）防止層（ＵＶカットフィルム、ＵＶカットコーティングなど）を設ける事が好ましい。
シースルー構造ではない有機ＥＬパネルでは、外光の反射を防止するために円偏光板を設けることが多いが、シースルー構造の有機ＥＬパネルに円偏光板を設けると発光面が暗くなってしまう。そのため、本実施形態に係る有機ＥＬパネルには、円偏光板を設けないことが好ましいが、そうすると、外光により有機層３０などの劣化が懸念される。ＵＶ防止層を設けたほうが良い理由は、このような劣化を防ぐためである。なお、パネルの背面側（封止板５０側）にもＵＶ防止層を設けてもよい。
【００２２】
以上のように構成される有機ＥＬパネル１００は、隣り合う帯状電極４１の間に形成されるスリット部が光を透過することになる。つまり、パネル前面側（基板１０側）からの外光も、パネル背面側（封止板５０側）からの外光も透過する。また、前述の通り帯状電極４１は幅Ｗが細く形成されている。このため、有機ＥＬパネル１００は、自身を透かして実景（パネルの裏側に位置する物など）を概ね視認可能とする透過構造（シースルー構造）を有する。
一方で、セグメントの具体的な点灯領域は、基板法線方向において第１電極１０と帯状電極４１とが重なる領域となる。したがって、不透光性の帯状電極４１を細くすればするほど、パネルを透過する外光の透過率が増してパネルの透明性を確保できる一方で、セグメントの発光面積が減ることになる。つまり、本実施形態のようなシースルー構造では、パネルの外光透過率とセグメントの輝度とはトレードオフの関係となる。
そこで、本願発明者は、帯状電極４１のピッチＰと幅Ｗの好適な値を見出すため、試作機を作成して、セグメントの見栄え評価とパネルの透明性の評価を行った。この評価結果を図３（ａ）（ｂ）に示す。
【００２３】
図３（ａ）は、幅Ｗを０．２ｍｍと一定に保った上で、帯状電極４１のピッチＰを変化させた際の点灯セグメントの見栄えを目視により評価した結果を表すものである。同図における「見栄え」の評価の欄の各記号は以下の意である。
◎：セグメントの形状が明瞭に認識できる
○：セグメントの形状を認識できる
△：セグメントの形状を一応判別可能
×：セグメントの形状が不明
本願発明者は、これらの評価結果に基づき、点灯セグメントの視認性を考慮すれば、「帯状電極４１のピッチＰは２ｍｍ以下」が好適であることを見出した。
【００２４】
図３（ｂ）は、帯状電極４１のピッチＰを２ｍｍと一定にすることで点灯セグメントの視認性を最低限確保した上で、帯状電極４１の幅Ｗを変化させた際のパネルの透明性を目視により評価した結果を表すものである。同図における「透明性」の評価の欄の各記号は以下の意である。
◎：パネルを介して背景が明瞭に視認できる
○：パネルを介して背景が視認できる
△：パネルを介して背景が一応視認できる
×：背景が不明
本願発明者は、これらの評価結果に基づき、パネルの透明性を考慮すれば、「帯状電極４１の幅Ｗは１ｍｍ以下」が好適であることを見出した。
なお、図３（ｂ）に透明性の評価と併せて、パネルの透過率（％）とセグメントの輝度（ｃｄ/ｍ２）の測定値も記した。これらの測定値から、パネルの透過率とセグメントの輝度とはトレードオフの関係であることが分かる。
【００２５】
以上のように、セグメントの見栄えとパネルの透明性とを両立する帯状電極４１の条件を定めた。
しかしながら、何の対策も講じなければ、電極のパターニングやパネルの組み付けにおいて、第１電極１０と第２電極４０とがＸ方向に相対的にずれた場合（アライメントのズレが生じた場合）、１つのセグメントに対応する第１電極１０と重畳すべき帯状電極４１の本数が減ってしまい、セグメントの輝度が保てなかったり、発光セグメントの形状が明瞭でなくなったりすることがあった。
そこで、セグメント（つまり、１つのセグメントに対応する第１電極２０）と帯状電極４１との好適な関係を求めるために、図４に示す計算モデルを用いてシミュレーションを行った。シミュレーション結果を図５（ａ）（ｂ）に示す。
このシミュレーションでは、帯状電極４１の幅Ｗを０．２５ｍｍと、ピッチＰを１．０ｍｍと一定にした上で、第１電極２０と第２電極４０とを相対的にＸ方向に移動させることでアライメントのズレを表現したものである。このズレを図５（ａ）（ｂ）では、「第２電極のズレ」と記している。
そして、１つのセグメントに対応する第１電極２０のＸ方向の幅（つまり、セグメント幅Ｄ）が１．７５ｍｍ、２ｍｍ、２．２５ｍｍ、２．５ｍｍの各々の時の発光面積ｍｍ２（つまり、第１電極２０と第２電極４０とが重なる部分の面積）を求めた。なお、１つのセグメントに対応する第１電極２０のＹ方向の幅は５．０ｍｍと一定にした。また、セグメントＳの形状は、便宜的に矩形とした。
【００２６】
図５（ａ）（ｂ）から分かるように、セグメント幅ＤがピッチＰの自然数倍である２ｍｍのときは、第２電極４０のズレが０ｍｍ〜０．７５ｍｍのどの場合であっても、発光面積が２．５ｍｍ２と一定である。一方、セグメント幅Ｄが２ｍｍ以外の場合（１．７５ｍｍ、２．２５ｍｍ、２．５ｍｍ）、アライメントのズレが生じると、セグメントの発光面積にバラツキが生じることが分かる。
この結果を踏まえ、本願発明者は、「セグメント幅ＤをピッチＰの略ｎ倍（ｎは２以上の自然数）」にすれば、アライメントのズレが生じても、発光面積を一定に保つことができ、有機ＥＬパネル１００の表示品位を良好に保つことができると想い到った。なお、略ｎ倍の「略」とは製造誤差や、セグメントの形状によっては一義にセグメントの幅が定まらないことを鑑みたものである。つまり、略ｎ倍とは、思想として、セグメント幅ＤがピッチＰのｎ倍になるように構成したものを含む。
【００２７】
なお、本発明は以上の実施形態及び図面によって限定されるものではない。本発明の要旨を変更しない範囲で、適宜、変更（構成要素の削除も含む）を加えることが可能である。以下に変形の一例を示す。
【００２８】
（変形例１）
図６に示すように、複数セグメントの組み合わせによる表示手法（図示例では７セグメント表示）では、デザイン性を考慮して、セグメントを斜めに形成する場合がある。具体例を挙げると、７セグメントの構成要素のうち、概ねＹ方向に延びる第１セグメントＳ１を、Ｙ軸に対して所定角α（０°＜α≦２０°）だけ傾ける一方、Ｘ方向に延びる第２セグメントＳ２は傾けずして、数値を斜体で表す手法である。
この場合、帯状電極４１が延びる方向Ｌを、第１セグメントＳ１の延びる方向と一致させることが好ましい（つまり、方向ＬもＹ方向に対して所定角αだけ傾ける）。このようにすれば、第１セグメントＳ１の端部がギザギザに視認されることを防ぐことができ、表示品位を良好に保つことができる。
なお、この変形例１は、図１に示すように、有機ＥＬパネル１００が横置き（つまり、図１に示すようにＸ方向に長辺を持つ略長方形状）の場合に好適である例である。有機ＥＬパネル１００が縦置き（つまり、Ｙ方向に長辺を持つ略長方形状）の場合は、帯状電極４１をＹ方向に延びるように形成すると、帯状電極４１が長く形成されることになり電流勾配が顕著になるため、好ましくない。そのため、有機ＥＬパネル１００が縦置きの場合は、帯状電極４１をＸ方向に延びるように形成（つまり、表示像の視認者から見ての左右方向に形成）することが好ましい。
【００２９】
（変形例２）
また、セグメントＳが長手方向にある程度の長さ（例えば３０ｍｍ以上）を有する場合、第１電極２０の抵抗（陽極抵抗）の影響で、当該長手方向においてセグメントＳの輝度ムラが生じるおそれがある。
これを防止するため、図７に示すように、１つのセグメントＳに相当する第１電極２０と重なる領域では、帯状電極４１の幅Ｗを変えることで、セグメントＳの発光輝度を均一化することが有効である。具体的には、電圧降下を考慮して、給電側から遠ざかるに連れて、帯状電極４１の幅Ｗが徐々に広く（太く）なるように形成することで輝度の均一化を図ることができる。ただし、セグメントＳの消灯時、帯状電極４１の幅広化は、３０％以内（セグメントＳの形成領域において、給電側とは反対側（図中上側）の帯状電極４１の幅が、給電側（図中下側）の帯状電極４１の幅の１．３倍以内）に抑えることが好ましい。
【００３０】
また、以上では、有機ＥＬパネル１００素子がボトムエミッション型の例を示したが、トップエミッション型であってもよい。また、有機ＥＬパネル１００はデューティ駆動で動作するものであってもよい。また、セグメントＳの形状も六角形状に限られず、任意である。
【００３１】
また、以上では帯状電極４１が直線的に延びて形成される例を示したが、帯状電極４１が曲線状やジグザグ状に形成されて、所定方向に延びていてもよい。この場合の帯状電極４１のピッチＰは、当該所定方向と交差する方向（例えば直交方向）における隣り合う帯状電極４１の中心間の距離と考えればよい。
【００３２】
また、有機ＥＬパネル１００の用途は限定されないが、特に自機を介して背景を透かして視認させる必要性がある用途に好適である。この種の用途としては、車両のダッシュボード上の表示器や、透光性を有するドア（自動ドアなど）に重畳させて配置する表示器などが考えられる。
【００３３】
以上に説明した有機ＥＬパネル１００は、セグメントＳを点灯表示する有機ＥＬパネル１００であって、透光性を有する基板１０と、基板１０上に設けられた第１電極２０及び第２電極４０と、基板１０上に設けられて第１電極２０と第２電極４０との間に位置する、少なくとも発光層を含む有機層３０と、を備える。
第１電極２０は、透光性を有し、セグメントＳに相当する形状で形成され、第２電極４０は、透光性を有さず、基板法線方向から見て第１の方向（例えばＹ方向や、方向Ｌ（図６））に延びる複数の帯状電極４１からなり、複数の帯状電極４１は、第１の方向と交差する第２の方向（例えばＸ方向）に所定のピッチＰで配列されている。
セグメントＳの第２の方向の幅（セグメント幅Ｄ）は、ピッチＰの略ｎ倍（ｎは２以上の自然数）であり、基板法線方向から見て、複数の帯状電極４１のうち隣り合うもの同士の間が透光領域となっている。
このようにしたから、前述した通り表示品位が良好である。
【００３４】
また、セグメントＳは複数あり、第１の方向に延びる第１セグメントＳ１と、第２の方向に延びる第２セグメントＳ２と、を含み、第１セグメントＳ１と第２セグメントＳ２との少なくとも一方の第２の方向の幅が、ピッチＰの略ｎ倍（ｎは２以上の自然数）である、ようにしてもよい。
【００３５】
また、第１の方向は、表示像を正視する視認者から見ての上下方向と一致する（図２（ｂ）に示す例）、又は、上下方向に対して傾いている（図６に示す例）、ようにしてもよい。
【００３６】
また、第２の方向は、表示像を正視する視認者から見ての左右方向と一致する（図２（ｂ）や図６に示す例）、ようにしてもよい。
【００３７】
また、有機ＥＬパネル１００がいわゆる縦置きの場合は、第１の方向を、表示像を正視する視認者から見ての左右方向と一致させることが好ましい。
【００３８】
以上の説明では、本発明の理解を容易にするために、重要でない公知の技術的事項の説明を適宜省略した。
【符号の説明】
【００３９】
１００  有機ＥＬパネル
１０  基板
２０  第１電極
３０  有機層
４０  第２電極
４１  帯状電極
Ｗ  幅
Ｐ  ピッチ
５０  封止板
６０  可変表示部
Ｓ  セグメント
Ｓ１  第１セグメント
Ｓ２  第２セグメント
Ｄ  セグメント幅
７０  固定表示部
８０  ＩＣ
【図１】
2016100126.tif 000003
【図２】
2016100126.tif 000004
【図３】
2016100126.tif 000005
【図４】
2016100126.tif 000006
【図５】
2016100126.tif 000007
【図６】
2016100126.tif 000008
【図７】
2016100126.tif 000009